(57)【要約】【課題】金属微粒子の生成量をより多くすることが可能な金属微粒子生成装置ならびにこれを備えた髪ケア装置を得る。【解決手段】グラウンド電極３（の対向部分３ａ）を放電極２（の先端部分２ａ）の少なくとも一部を覆うように形成した。これにより、グラウンド電極３が放電極２に対向する面積を増大させやすくなり、その分、放電極２に対する電界の集中度を高めて、金属微粒子の生成量を増大させることができる。【選択図】図１
2010100924.tif 000002
【特許請求の範囲】
【請求項１】
放電極とグラウンド電極とを有し当該放電極とグラウンド電極との間で放電させることにより金属部材に含まれる金属の微粒子を放出させる金属微粒子生成装置において、
前記放電極およびグラウンド電極のうち一方の電極を、他方の電極の少なくとも一部を覆うように形成したことを特徴とする金属微粒子生成装置。
【請求項２】
前記放電極およびグラウンド電極のうち一方の電極を、他方の電極の全周を覆うように形成したことを特徴とする請求項１に記載の金属微粒子生成装置。
【請求項３】
前記一方の電極が前記他方の電極を覆う部分に、開口部を形成したことを特徴とする請求項２に記載の金属微粒子生成装置。
【請求項４】
前記一方の電極は、他方の電極の周囲を部分的に覆うように形成されており、
前記一方の電極に前記グラウンド電極につながるグラウンド線を巻き付けて、前記一方の電極が他方の電極を覆っていない部分を当該グラウンド線で覆うようにしたことを特徴とする請求項１に記載の金属微粒子生成装置。
【請求項５】
請求項１〜４のうちいずれか一つに記載の金属微粒子生成装置を備える髪ケア装置。
【発明の詳細な説明】
【技術分野】
【０００１】
本発明は、金属微粒子生成装置およびそれを備える髪ケア装置に関する。
【背景技術】
【０００２】
従来、遷移金属を含む電極間で放電させることによって当該遷移金属の微粒子を生成し、その微粒子を髪に向けて放出するようにしたヘアドライヤが知られている（特許文献１）。
【特許文献１】特開２００８−２３０６３号公報
【発明の開示】
【発明が解決しようとする課題】
【０００３】
この種の金属微粒子生成装置では、金属微粒子の生成量をより多くすることが望まれている。
【０００４】
そこで、発明者らは鋭意検討を重ねた結果、新規な電極の構成によって、金属微粒子の生成量をより多くできることを見出すに至った。
【０００５】
すなわち、本発明は、金属微粒子の生成量をより多くすることが可能な金属微粒子生成装置ならびにこれを備えた髪ケア装置を得ることを目的とする。
【課題を解決するための手段】
【０００６】
請求項１の発明にあっては、放電極とグラウンド電極とを有し当該放電極とグラウンド電極との間で放電させることにより金属部材に含まれる金属の微粒子を放出させる金属微粒子生成装置において、前記放電極およびグラウンド電極のうち一方の電極を、他方の電極の少なくとも一部を覆うように形成したことを特徴とする。
【０００７】
請求項２の発明にあっては、前記放電極およびグラウンド電極のうち一方の電極を、他方の電極の全周を覆うように形成したことを特徴とする。
【０００８】
請求項３の発明にあっては、前記一方の電極が前記他方の電極を覆う部分に、開口部を形成したことを特徴とする。
【０００９】
請求項４の発明にあっては、前記一方の電極は、他方の電極の周囲を部分的に覆うように形成されており、前記一方の電極に前記グラウンド電極につながるグラウンド線を巻き付けて、前記一方の電極が他方の電極を覆っていない部分を当該グラウンド線で覆うようにしたことを特徴とする。
【００１０】
請求項５の発明にあっては、上記金属微粒子生成装置を備える髪ケア装置である。
【発明の効果】
【００１１】
請求項１の発明によれば、一方の電極の他方の電極に対向する面積が増大する分、他方の電極に対する電界の集中度を高めることができ、これにより、金属微粒子の生成量を増大させることができる。
【００１２】
請求項２の発明によれば、一方の電極が他方の電極の全周を覆う分、当該他方の電極に対する電界の集中度をより一層高めることができ、金属微粒子の生成量をさらに増大させることができる。
【００１３】
請求項３の発明によれば、開口部を設けた分、一方の電極が他方の電極を覆う部分の内側に空気流を形成しやすくなり、金属微粒子を空気流に乗せて放出させやすくなる。
【００１４】
請求項４の発明によれば、一方の電極にグラウンド線を巻き付けた部分によって他方の電極を覆うことで電気力線を遮蔽し、生成された金属微粒子が所期の方向とは異なる方向に流出するのを抑制して、金属微粒子の放出効率を高めることができる。
【００１５】
請求項５の発明によれば、髪や地肌に対して金属微粒子による効果を高めた髪ケア装置を得ることができる。
【発明を実施するための最良の形態】
【００１６】
以下、本発明の実施形態について図面を参照しながら詳細に説明する。なお、以下の複数の実施形態および変形例には、同様の構成要素が含まれている。よって、それら同様の構成要素については共通の符号を付与するとともに、重複する説明を省略する。また、各実施形態および実施例に示す構成は、他の実施形態や他の実施例の対応する構成に置き換えることができる。
【００１７】
（第１実施形態）図１は、本発明の第１実施形態にかかる金属微粒子生成装置の概略構成を示す図であって、（ａ）は正面図、（ｂ）は平面図である。
【００１８】
本実施形態にかかる金属微粒子生成装置１は、放電極２とグラウンド電極３とを備えており、これら放電極２とグラウンド電極３との間に配線５を介して図示しない高電圧回路によって高電圧を印加して、放電（コロナ放電等）を生じさせ、その放電作用によって金属微粒子（金属の分子やイオン等）を放出させるものである。
【００１９】
放電極２は、略一定の円形断面を有する丸棒状に形成されており、支持台４に支持されている。支持台４は、長方形の板状に形成された台座部４ａと、当該台座部４ａから垂直に突設された柱状の放電極支持部４ｂと、を備えており、この放電極支持部４ｂに、放電極２が、台座部４ａと略平行な姿勢で貫通されて固定されている。
【００２０】
グラウンド電極３は、半円筒状に形成されて放電極２と対向する対向部分３ａと、対向部分３ａに接続された端子部３ｂとを備えている。支持台４には、台座部４ａから垂直に突出してグラウンド電極３を支えるグラウンド電極支持部４ｃが設けられている。このグラウンド電極支持部４ｃの上面には円柱面状に凹設された凹部４ｄが形成されており、この凹部４ｄに対向部分３ａが嵌め込まれている。
【００２１】
かかる構成では、対向部分３ａの中心軸は、放電極２の中心軸Ｃと略一致するように配置される。すなわち、グラウンド電極３の対向部分３ａは、放電極２の先端部分２ａの半周分（１８０°分）を間隔をあけて覆う状態となっている。つまり、本実施形態では、グラウンド電極３が一方の電極、放電極２が他方の電極に相当する。
【００２２】
また、本実施形態では、放電極２およびグラウンド電極３のうち少なくともいずれか一方は、遷移金属（例えば、金、銀、銅、白金、亜鉛、チタン、ロジウム、パラジウム、イリジウム、ルテニウム、オスミウム等）を含む部材として構成され、具体的には、それら遷移金属の単体、合金、あるいはメッキ処理した部材等として構成される。金属微粒子生成装置１で生成され放出された金属の微粒子に、金や、銀、銅等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金は、抗酸化作用が極めて高いことが判明している。
【００２３】
ここで、金属微粒子生成装置１は、放電作用によって、放電極２やグラウンド電極３から上記遷移金属のイオンや分子を金属微粒子として放出させるものであってもよいし、放電作用によって生じたイオン（例えば、ＮＯ２−、ＮＯ３−等のマイナスイオンや、Ｎ２＋、Ｏ２＋、Ｈ３Ｏ＋（Ｈ２Ｏ）ｎ、Ｈ＋等のプラスイオン）を、放電極２や、グラウンド電極３、他の金属材料や金属成分を含む部材等に衝突させることで、金属微粒子を生成するものであってもよい。本実施形態では、グラウンド電極３の対向部分３ａを、放電極２の先端部分２ａの半周分を覆うように設けているため、イオンが対向部分３ａに衝突することで放出される金属微粒子の量を、特に増大させやすくなる。
【００２４】
また、本実施形態では、支持台４の台座部４ａには突起４ｅが複数設けられており、放電極２およびグラウンド電極３に高電圧を印加するための配線５が、これら突起４ｅに挟持された状態で固定されている。そして、放電極２は、かしめ端子６によって配線５の導体部分５ａに接続される一方、グラウンド電極３の端子部３ｂには、貫通孔３ｃに挿通された導体部分５ａが、はんだ７を用いて接合（はんだ付け）されている。
【００２５】
以上のように、本実施形態にかかる金属微粒子生成装置１では、グラウンド電極３（の対向部分３ａ）を放電極２（の先端部分２ａ）の少なくとも一部（本実施形態では周囲の半分）を覆うように形成した。これにより、グラウンド電極３が放電極２に対向する面積を増大させやすくなり、その分、放電極２に対する電界の集中度を高めて、金属微粒子の生成量を増大させることができる。
【００２６】
また、かかる構成では、対向部分３ａが、放電極２の保護部材としても機能することになる。さらに、かかる構成では、イオンがグラウンド電極３に衝突する面積を増大させやすくなり、その分、イオンがグラウンド電極３に衝突することで当該グラウンド電極３から放出される金属の微粒子の量を増大させやすくなる。
【００２７】
なお、本実施形態では、グラウンド電極３が放電極２の一部分を覆う構成としたが、これとは逆に、放電極がグラウンド電極の一部を覆うように構成しても、同様の効果を得ることができる。また、一方の電極が他方の電極を覆う部分は、略半円筒状以外の形状（例えば、略Ｕ字状断面や、略Ｖ字状断面、半矩形状断面等を有する形状など）としてもよい。また、放電極２とグラウンド電極３との間の放電は、コロナ放電以外の、アーク放電や、沿面放電等であってもよい。
【００２８】
（放電極の変形例）図２は、上記第１実施形態の第１変形例にかかる金属微粒子生成装置の概略構成を示す図であって、（ａ）は正面図、（ｂ）は平面図である。
【００２９】
この変形例にかかる金属微粒子生成装置１Ａでは、放電極２Ａの先端部分２ａを尖らせてある。かかる変形例によれば、尖らせた先端部分２ａの周囲をグラウンド電極３で覆うため、先端部分２ａに対する電界の集中度をより一層高めて、金属微粒子の生成量をより一層増大させることができる。
【００３０】
（グラウンド電極の変形例）図３は、上記第１実施形態の第２変形例にかかる金属微粒子生成装置の概略構成を示す図であって、（ａ）は正面図、（ｂ）は平面図である。
【００３１】
この変形例にかかる金属微粒子生成装置１Ｂでは、グラウンド電極３Ｂが放電極２Ａの先端部分２ａの全周を覆っている。すなわち、グラウンド電極３Ｂの対向部分３ａは略円筒状に形成されており、その中心軸に沿って放電極２Ａが配置されている。
【００３２】
かかる変形例によれば、放電極２Ａの先端部分２ａの全周をグラウンド電極３で覆うため、一部分を覆う場合に比べて放電極２Ａに対する電界の集中度をより一層高めて、金属微粒子の生成量をより一層増大させることができる。なお、一方の電極が他方の電極を覆う部分は、略角筒状とするなど、略円筒状以外の形状としてもよい。
【００３３】
（グラウンド電極の別の変形例）図４は、上記第１実施形態の第３変形例にかかる金属微粒子生成装置の概略構成を示す図であって、（ａ）は正面図、（ｂ）は平面図、（ｃ）は（ａ）のIVc−IVc断面図である。
【００３４】
この変形例にかかる金属微粒子生成装置１Ｃでは、放電極２Ａを覆うグラウンド電極３Ｃの対向部分３ａ（略円筒状に形成される部分の側壁部）に、開口部３ｄを形成してある。すなわち、グラウンド電極３Ｃの対向部分３ａは略円筒状に形成されており、その中心軸に沿って放電極２Ａが配置されている。そして、グラウンド電極３Ｃの軸方向に沿って細長いスリット状の開口部３ｄが、周方向に沿って一定のピッチで複数配置されている。
【００３５】
また、本変形例では、グラウンド電極３Ｃの、放電極２Ａの先端側となる部分に底壁部３ｅを設け、これにより、放電極２Ａに対向する部分の表面積を増大させてある。そして、底壁部３ｅの中央には、金属微粒子の放出口となる略円形の貫通孔３ｆを形成してある。
【００３６】
かかる変形例によれば、グラウンド電極３が放電極２Ａの先端部分２ａを覆う部分に、開口部３ｄを形成したため、グラウンド電極３が放電極２Ａの先端部分２ａを覆う部分の内側で空気流を通流させやすくなり、金属微粒子を空気流に乗せて放出させやすくなる。また、開口部３ｄから放電状況を確認しやすくなるという利点もある。
【００３７】
（第２実施形態）図５は、本発明の第２実施形態にかかる金属微粒子生成装置の概略構成を示す図であって、（ａ）は正面図、（ｂ）は平面図である。
【００３８】
本実施形態にかかる金属微粒子生成装置１Ｄは、グラウンド電極３Ｄを、線材を渦巻き状に巻回して略円筒状に形成することで放電極２Ａの全周を覆うようにした点が、上記実施形態や変形例と相違している。グラウンド電極３Ｄをなす線材の巻回部３ｇの二つの端部３ｈは、それぞれ支持台４Ｄの台座部４ａ上に突設された線材挟持部４ｆに挟持されて固定されており、そのうち一方は、かしめ端子９を介して配線５の導体部分５ａに接続されている。そして、本実施形態でも、放電極２Ａおよびグラウンド電極３Ｄのうち少なくともいずれか一方を遷移金属で形成してある。
【００３９】
本実施形態によっても、放電極２Ａの全周を取り囲んであるため、金属微粒子の生成量を増大させやすくなる。さらに、本実施形態では、線材を巻回してグラウンド電極３Ｄを筒状に形成したため、筒内面に線材による凹凸が形成される。よって、この凹凸の分、グラウンド電極３Ｄの放電極２Ａに対向する部分の表面積を増大させることができ、放電極２Ａに対する電界の集中度をより一層高めて、金属微粒子の生成量をより一層増大させることができる。
【００４０】
（第３実施形態）図６は、本発明の第３実施形態にかかる金属微粒子生成装置を備える髪ケア装置としてのヘアドライヤの側面図である。
【００４１】
本実施形態にかかる髪ケア装置としてのヘアドライヤ２０は、使用者が手で握る部分としての把持部２０ｂと、把持部２０ｂと交差する方向に結合された本体部２０ａとを備えており、把持部２０ｂと本体部２０ａとで略Ｔ字状あるいは略Ｌ字状（本実施形態では略Ｔ字状）の外観を呈するように構成されている。また、把持部２０ｂの突出端側からは、電源コード２３が引き出されている。なお、本実施形態では、把持部２０ｂは折り畳み可能に構成されている。
【００４２】
ケーシング２４は、複数の分割体を継ぎ合わせて構成されている。このケーシング２４の内部には空洞が形成されており、この空洞内に、各種電気部品が収容されている。
【００４３】
本体部２０ａの内部には、その長手方向（図６の左右方向）の一方側（左側）の開口部２８ａから他方側（右側）の開口部２８ｂに至る空洞２８が形成されており、当該空洞２８内に収容されたファン（図示せず）を回転することによって、外部から開口部２８ａを介して空洞２８内に流入し、当該空洞２８内を通って開口部２８ｂから排出される空気流Ｗが形成されるようになっている。すなわち、本実施形態では、空洞２８が送風通路に相当する。
【００４４】
また、本実施形態では、本体部２０ａの内部に略円筒状の内筒２５が設けられており、空気流Ｗは主としてこの内筒２５の内側を流れるようになっている。内筒２５の内部では、最も上流側にモータやファンを含む空気流生成部２１が配置され、空気流生成部２１の下流側に加熱機構としてのヒータ２６が配置されている。ヒータ２６を作動させたときには、吹出口となる開口部２８ｂから温風が吹き出されることになる。
【００４５】
また、本体部２０ａには、ケーシング２４と内筒２５との間に形成された空洞２９内に、上記第１実施形態にかかる金属微粒子生成装置１と回路部２７とが配置されている。回路部２７には、少なくとも、金属微粒子生成装置１の放電極２とグラウンド電極３との間に高電圧を印加する高電圧回路が含まれる。
【００４６】
内筒２５の長手方向のほぼ中央部には、空洞２８と空洞２９とを連通する連通路（図示せず）が形成されており、内筒２５の内側の空洞２８を流れる空気流Ｗの一部が分岐されて外側の空洞２９へ導入され、当該空洞２９内を流れる分岐流Ｗｐが形成されるようになっている。
【００４７】
上述したように、本実施形態では、金属微粒子生成装置１は、空洞２９内に配置されており、当該金属微粒子生成装置１で発生した荷電粒子（金属の微粒子）は、空洞２９内を流れる分岐流Ｗｐに乗せられて、開口部２８ｂとは別の開口部２８ｃから排出される。
【００４８】
以上の本実施形態によれば、金属微粒子生成装置１によって生成した金属微粒子を含む分岐流Ｗｐを、開口部２８ｃから吹き出すことができるため、髪や地肌に対して、当該金属微粒子による種々の作用（抗菌作用、抗酸化作用など）を与えることができる。
【００４９】
そして、グラウンド電極３を、放電極２の少なくとも一部を覆うように形成したため、グラウンド電極３が放電極２に対向する面積を増大させやすくなり、その分、放電極２に対する電界の集中度を高めて、金属微粒子の生成量を増大させることができる。なお、本実施形態に示したヘアドライヤ２０はあくまで一例であって、第１実施形態以外の金属微粒子生成装置を設けてもよいし、ヘアドライヤの構成もこの実施形態に限定されるものではない。
【００５０】
（第４実施形態）図７は、本発明の第４実施形態にかかる金属微粒子生成装置を備える髪ケア装置としてのヘアブラシの断面図である。
【００５１】
図７に示すように、髪ケア装置としてのヘアブラシ２０Ａは、回動支持部２２で折り畳み可能に形成されており、伸展させた状態で使用者が把持部２０ｃを持って先端部２０ｄに設けられたブラシ部３０を髪に当てて整髪する（髪を梳かす）ものである。ブラシ部３０には、複数のブリッスル３０ａが突設されている。
【００５２】
ケーシング３１は、複数の分割体を継ぎ合わせて構成されており、その内部には空洞が形成され、この空洞内に、各種電気部品が収容されている。
【００５３】
また、ケーシング３１には、ブラシ部３０のブリッスル３０ａに向けて開放された開口部３３が形成され、さらに、この開口部３３を終端とする空洞３２が形成されている。そして、この空洞３２内に、上記第１実施形態にかかる金属微粒子生成装置１が収容されている。よって、この金属微粒子生成装置１で生成された金属微粒子が開口部３３から外部に放出され、髪や地肌に作用することになる。なお、金属微粒子生成装置１は、回路部２７によって駆動される。
【００５４】
以上の本実施形態にかかるヘアブラシ２０Ａも、髪や地肌に対して、金属微粒子による種々の作用（抗菌作用、抗酸化作用など）を与えることができる。
【００５５】
そして、本実施形態でも、グラウンド電極３を、放電極２の少なくとも一部を覆うように形成したため、グラウンド電極３が放電極２に対向する面積を増大させやすくなり、その分、放電極２に対する電界の集中度を高めて、金属微粒子の生成量を増大させることができる。なお、本実施形態に示したヘアブラシ２０Ａはあくまで一例であって、第１実施形態以外の金属微粒子生成装置を設けてもよいし、ヘアブラシの構成もこの実施形態に限定されるものではない。また、モータおよびファンを内蔵して、開口部３３から金属の微粒子を含む空気流を吹き出させるようにしてもよい。
【００５６】
（第５実施形態）図８は、本発明の第５実施形態にかかる髪ケア装置としてのヘアアイロンの断面図である。
【００５７】
図８に示すように、本実施形態にかかる髪ケア装置としてのヘアアイロン２０Ｂは、回動連結部３６を介して略Ｖ字状に拡開可能な二つのアーム部２０ｅ，２０ｆを備えており、それらアーム部２０ｅ，２０ｆの先端側の挟持部３７に髪を挟み込んで加熱部３８で加熱して整髪するものである。
【００５８】
ケーシング３９の内部には空洞が形成され、この空洞内に、各種電気部品が収容されている。また、ケーシング３９には開口部３３が形成され、さらにこの開口部３３を終端とする空洞３２が形成されている。そして、この空洞３２に、金属微粒子生成装置１が収容されている。金属微粒子生成装置１で発生した金属微粒子は、開口部３３から放出される。
【００５９】
以上の本実施形態にかかるヘアアイロン２０Ｂも、髪や地肌に対して、金属微粒子による種々の作用（抗菌作用、抗酸化作用など）を与えることができる。
【００６０】
そして、本実施形態でも、グラウンド電極３を、放電極２の少なくとも一部を覆うように形成したため、グラウンド電極３が放電極２に対向する面積を増大させやすくなり、その分、放電極２に対する電界の集中度を高めて、金属微粒子の生成量を増大させることができる。なお、本実施形態に示したヘアアイロン２０Ｂはあくまで一例であって、第１実施形態以外の金属微粒子生成装置を設けてもよいし、ヘアアイロンの構成もこの実施形態に限定されるものではない。
【００６１】
（第６実施形態）図９は、本発明の第６実施形態にかかる金属微粒子生成装置の概略構成を示す図であって、（ａ）は正面図、（ｂ）は平面図、図１０は、図９の金属微粒子生成装置を備える髪ケア装置としてのヘアドライヤの側面図である。
【００６２】
本実施形態にかかる金属微粒子生成装置１Ｅでは、グラウンド電極３Ｅが断面略Ｕ字状の対向部分３ａを備えており、この対向部分３ａによって、放電極２の先端部分２ａの周囲が部分的に（本実施形態では周囲の半分強が）覆われている。すなわち、対向部分３ａは、図９（ａ）の右側に向けて開放されており、先端部分２ａの周面はこの部分（すなわち図９（ａ）の右側の部分）では対向部分３ａによって覆われていない。また、対向部分３ａの両側壁の高さを比較的高く形成し、先端部分２ａを、対向部分３ａの断面略Ｕ字状の凹部内に没入させてある。なお、グラウンド電極３Ｅは、支持台４Ｅの取付部４ｇに熱溶着等して取り付けられている。
【００６３】
そして、本実施形態では、グラウンド電極３Ｅに繋がる配線５としてのグラウンド線５Ｇを当該グラウンド電極３Ｅに巻き付けて巻回部５ｂを形成し、これにより、グラウンド電極３Ｅの対向部分３ａが放電極２を覆っていない側（対向部分３ａの開放側、すなわち図９（ａ）の右側）では、グラウンド線５Ｇの巻回部５ｂによって放電極２の先端部分２ａを覆うようにしてある。このとき、先端部分２ａは対向部分３ａの凹部内に没入させてあるため、巻き付けたグラウンド線５Ｇ（巻回部５ｂ）は放電極２には接触しない。したがって、かかる構成により、先端部分２ａの全周が、対向部分３ａと巻回部５ｂとによって、間隔をあけて（すなわち接触しない状態で）覆われることになる。なお、巻回部５ｂは、放電極２の先端側へ向かう金属微粒子の流れを形成する観点から、当該放電極２の先端部分２ａの端部の周囲を覆うようにし、当該巻回部５ｂを、放電極２の根元部分に対して放出側となる位置に配置するのが好適である。
【００６４】
かかる構成によれば、放電によって生成された金属微粒子の一部が、対向部分３ａの開放部分から、グラウンド線５Ｇに引かれるなどして、所期の放出方向とは異なる方向（例えば図９（ｂ）の右方向）に流出するのを抑制することができる。したがって、本実施形態によれば、金属微粒子をより確実に所期の方向（本実施形態では図９（ｂ）の左方向）へ放出することができ、金属微粒子の放出効率を高めることができる。そして、グラウンド線５Ｇを巻き付けるという比較的簡素な構成によって、比較的安価に、当該効果を得られるようになる。
【００６５】
そして、本実施形態にかかる金属微粒子生成装置１Ｅは、図１０に示すヘアドライヤ２０Ｅなどの各種髪ケア装置に実装することができる。
【００６６】
以上、本発明の好適な実施形態について説明したが、本発明は上記実施形態には限定されず、種々の変形が可能である。
【図面の簡単な説明】
【００６７】
【図１】本発明の第１実施形態にかかる金属微粒子生成装置の概略構成を示す図であって、（ａ）は正面図、（ｂ）は平面図である。
【図２】本発明の第１実施形態の第１変形例にかかる金属微粒子生成装置の概略構成を示す図であって、（ａ）は正面図、（ｂ）は平面図である。
【図３】本発明の第１実施形態の第２変形例にかかる金属微粒子生成装置の概略構成を示す図であって、（ａ）は正面図、（ｂ）は平面図である。
【図４】本発明の第１実施形態の第３変形例にかかる金属微粒子生成装置の概略構成を示す図であって、（ａ）は正面図、（ｂ）は平面図、（ｃ）は（ａ）のIVc−IVc断面図である。
【図５】本発明の第２実施形態にかかる金属微粒子生成装置の概略構成を示す図であって、（ａ）は正面図、（ｂ）は平面図である。
【図６】本発明の第３実施形態にかかる髪ケア装置としてのヘアドライヤの側面図である。
【図７】本発明の第４実施形態にかかる髪ケア装置としてのヘアブラシの断面図である。
【図８】本発明の第５実施形態にかかる髪ケア装置としてのヘアアイロンの断面図である。
【図９】本発明の第６実施形態にかかる金属微粒子生成装置の概略構成を示す図であって、（ａ）は正面図、（ｂ）は平面図である。
【図１０】本発明の第６実施形態にかかる金属微粒子生成装置を含む髪ケア装置としてのヘアドライヤの側面図である。
【符号の説明】
【００６８】
１，１Ａ〜１Ｅ  金属微粒子生成装置
２，２Ａ  放電極（電極）
３，３Ｂ〜３Ｅ  グラウンド電極（電極）
３ａ  対向部分（覆う部分）
３ｄ  開口部
５Ｇ  グラウンド線
２０，２０Ｅ  ヘアドライヤ（髪ケア装置）
２０Ａ  ヘアブラシ（髪ケア装置）
２０Ｂ  ヘアアイロン（髪ケア装置）
【図１】
2010100924.tif 000003
【図２】
2010100924.tif 000004
【図３】
2010100924.tif 000005
【図４】
2010100924.tif 000006
【図５】
2010100924.tif 000007
【図６】
2010100924.tif 000008
【図７】
2010100924.tif 000009
【図８】
2010100924.tif 000010
【図９】
2010100924.tif 000011
【図１０】
2010100924.tif 000012